(57)【要約】【課題】電子機器本体装置と電子機器遠隔操作制御装置との夫々の電源部を成す電池の起電力状態の表示を、表示部に、表示領域の拡大をまねくことなく、行わせるものとする。【解決手段】ＭＤプレーヤの電池電源部の電池起電力を検出する手段と、その手段により検出された電池起電力に応じた信号ＳＢＴを形成する手段と、遠隔操作制御装置の電池電源部７１の電池起電力を検出する手段７２と、手段７２により検出された電池起電力に応じた信号ＳＢＲを形成する手段７３と、遠隔操作制御装置に設けられた表示部２８と、信号ＳＢＴ及びＳＢＲを選択的に表示部２８に供給し、表示部２８における特定の表示領域に、信号ＳＢＴに基づく電池起電力状態表示と信号ＳＢＲに基づく電池起電力状態表示とを選択的に行わせる手段７４とを備える。【選択図】図５
2006030045.tif 000002
【特許請求の範囲】
【請求項１】
電子機器本体装置の電源部を成す電池の起電力を検出する第１の電池起電力検出手段と、
該第１の電池起電力検出手段により検出された電池起電力に応じた第１の電池起電力表示用信号を形成する第１の電池起電力表示用信号形成手段と、
上記電子機器本体装置とは別体に備えられた電子機器遠隔操作制御装置の電源部を成す電池の起電力を検出する第２の電池起電力検出手段と、
該第２の電池起電力検出手段により検出された電池起電力に応じた第２の電池起電力表示用信号を形成する第２の電池起電力表示用信号形成手段と、
少なくとも上記電子機器本体装置及び電子機器遠隔操作制御装置のうちの一方に設けられた表示部と、
上記第１の電池起電力表示用信号と上記第２の電池起電力表示用信号とを選択的に上記表示部に供給し、該表示部における特定の表示領域に、上記第１の電池起電力表示用信号に基づく電池起電力状態表示と上記第２の電池起電力表示用信号に基づく電池起電力状態表示とを選択的に行わせる表示制御手段と、
を備えて構成される電池起電力状態表示装置。
【請求項２】
上記電池起電力状態表示を行う特定の表示領域を有する上記表示部が、上記電子機器遠隔操作制御装置に設けられたものとされることを特徴とする請求項１記載の電池起電力状態表示装置。
【請求項３】
上記表示部における特定の表示領域が、上記第１の電池起電力表示用信号に基づく電池起電力状態表示であることをあらわす第１の識別表示と、上記第２の電池起電力表示用信号に基づく電池起電力状態表示であることをあらわす第２の識別表示とを行うものとされることを特徴とする請求項１記載の電池起電力状態表示装置。
【請求項４】
上記表示制御手段が、上記表示部における特定の表示領域に、上記第１の電池起電力表示用信号に基づく電池起電力状態表示と上記第２の電池起電力表示用信号に基づく電池起電力状態表示とを、各々について所定の時間づつ交互に行わせることを特徴とする請求項１記載の電池起電力状態表示装置。
【請求項５】
上記表示制御手段が、上記第１の電池起電力表示用信号に基づく電池起電力状態表示についての所定の時間と上記第２の電池起電力表示用信号に基づく電池起電力状態表示についての所定の時間とを互いに異ならせることを特徴とする請求項４記載の電池起電力状態表示装置。                                                                      
【請求項６】
上記表示制御手段が、上記第１の電池起電力検出手段により検出された電池起電力が上記第２の電池起電力検出手段により検出された電池起電力より小であるとき、上記第１の電池起電力表示用信号に基づく電池起電力状態表示についての所定の時間を上記第２の電池起電力表示用信号に基づく電池起電力状態表示についての所定の時間より長くし、上記第２の電池起電力検出手段により検出された電池起電力が上記第１の電池起電力検出手段により検出された電池起電力より小であるとき、上記第２の電池起電力表示用信号に基づく電池起電力状態表示についての所定の時間を上記第１の電池起電力表示用信号に基づく電池起電力状態表示についての所定の時間より長くすることを特徴とする請求項５記載の電池起電力状態表示装置。
【請求項７】
上記表示制御手段が、上記表示部における特定の表示領域に、上記第１の電池起電力表示用信号に基づく電池起電力状態表示と上記第２の電池起電力表示用信号に基づく電池起電力状態表示とを、一方を他方に対して優先させて行わせることを特徴とする請求項１記載の電池起電力状態表示装置。
【請求項８】
上記表示部における特定の表示領域が、上記第１の電池起電力表示用信号に基づく電池起電力状態表示と上記第２の電池起電力表示用信号に基づく電池起電力状態表示とを、互いに異なる色光をもって選択的に行うことを特徴とする請求項１記載の電池起電力状態表示装置。
【請求項９】
上記表示部における特定の表示領域が、上記第１の電池起電力表示用信号に基づく電池起電力状態表示と上記第２の電池起電力表示用信号に基づく電池起電力状態表示とを、共通の表示図形をもって行うことを特徴とする請求項１記載の電池起電力状態表示装置。
【発明の詳細な説明】
【技術分野】
【０００１】
本願の特許請求の範囲に記載された発明は、電子機器本体装置の電源部を成す電池、及び、当該電子機器本体装置とは別体に備えられた電子機器遠隔操作制御部の電源部を成す電池の夫々について、その電池起電力状態を表示することができる電池起電力状態表示装置に関する。
【背景技術】
【０００２】
コンパクト・ディスク（ＣＤ）プレーヤ，ミニ・ディスク（ＭＤ）プレーヤ等の電子機器の分野にあっては、本体装置とそれとは別体に設けられて本体装置に対する動作制御等を行う遠隔操作制御装置とを備えたものが、広く実用に供されている。このような電子機器は、本体装置が所定の場所に据え置かれて使用される据置型のものとされるのみならず、本体装置が、比較的小型なものとされ、持ち運ばれて使用される携帯型のものとされることも多い。
【０００３】
こうした据置型の電子機器及び携帯型の電子機器のいずれにあっても、使い勝手を良好にすべく、遠隔操作制御装置を、本体装置に有線接続されたものでなく、本体装置に対する動作制御を無線通信により行うものとすることが知られている。本体装置に対する動作制御を無線通信により行う遠隔操作制御装置は、動作電力を供給する電源部を独自に備えることが必要とされるが、その操作上の利便性を向上させるため、通常、その電源部が遠隔操作制御装置に装着される電池によって構成される。
【０００４】
上述の携帯型の電子機器の場合、本体装置が持ち運ばれることからして、本体装置の電源部は、通常、本体装置に装着される電池によって構成される。それゆえ、本体装置に対する動作制御を無線通信により行う遠隔操作制御装置を備えた携帯型の電子機器にあっては、通常、本体装置と遠隔操作制御装置との両者が、各々の電源部を成す電池が装着されるものとなる。
【０００５】
種々の電子機器等における電源部を成す電池は、その使用開始以後、使用状態に応じて起電力が徐々に低下していき、その起電力が所定のレベル以下となると、電源部に要求されるだけの電力供給を行うことができなくなり、電源部を成す機能を失ってしまう。それゆえ、電源部を成す電池が装着される本体装置及び遠隔操作制御装置の夫々においては、装着された電池が電源部を成す機能を失ってしまうことになる事態を回避すべく、装着された電池の起電力状態を使用者が認識でき、装着された電池が電源部を成す機能を失ってしまう前に、装着された電池を新たな電池と交換できるようにすることが望まれる。
【０００６】
斯かるもとで、従来においては、本体装置とそれとは別体に備えられた遠隔操作制御装置とを備えた電子機器であって、本体装置の電源部を成す電池の起電力状態、もしくは、遠隔操作制御装置の電源部を成す電池の起電力状態を、本体装置側、もしくは、遠隔操作制御装置側において、使用者が認識することができるようにすることが提案されている（例えば、特許文献１，２参照。）。
【０００７】
従来提案された本体装置と遠隔操作制御装置とを備えた電子機器であって、本体装置の電源部を成す電池の起電力状態を確認できるようにされたものにあっては、本体装置が、例えば、ヘッドホーンが接続される小型音響機器とされ、本体装置とは別体に設けられた遠隔操作制御装置が、例えば、小型音響機器に対する遠隔操作に使用される操作キーとされたもとにおいて、操作キーからの動作モードをあらわす信号に応じた動作モード名音声が小型音響機器に接続されたヘッドフォーンから発せられ、その際、動作モード名音声の音程が、小型音響機器の電源部を成す電池の消耗状況（電池起電力低下状態）に応じて変化するようにされる。また、それに加えて、小型音響機器に設けられた表示部により、上述の電池の消耗状況が表示される。それにより、小型音響機器の電源部を成す電池の起電力状態を、聴覚的及び視覚的に確認できることになる。
【０００８】
また、従来提案された本体装置と遠隔操作制御装置とを備えた電子機器であって、遠隔操作制御装置の電源部を成す電池の起電力状態を確認できるようにされたものにあっては、本体装置が、例えば、テレビジョン受像機とされ、本体装置とは別体に設けられた遠隔操作制御装置が、例えば、テレビジョン受像機の遠隔操作に使用される送信器とされたもとにおいて、送信器の電源部を成す電池が消耗したこと（電池起電力が低下したこと）の表示あるいは報知が、テレビジョン受像機における画像表示スクリーンあるいはスピーカが利用されて行われる。それにより、送信器の電源部を成す電池の起電力状態を、聴覚的あるいは視覚的に確認できることになる。
【０００９】
このように、電子機器本体装置あるいは電子機器遠隔操作制御装置の電源部を成す電池の起電力状態が、電子機器本体装置もしくは電子機器遠隔操作制御装置において表示される場合、例えば、図９に示される如くの、液晶表示パネルを備えて構成された表示部１１が用いられる。
【００１０】
図９に示される表示部１１は、例えば、電子機器本体装置である音声信号再生装置に付設された電子機器遠隔操作制御装置に設けられて、音声信号再生装置の電源部を成す電池の起電力状態をあらわす図形１２を、表示パネルにおける表示領域の一画に表示するものとされる。図形１２は、音声信号再生装置の電源部を成す電池の起電力状態に応じて、例えば、図１０のＡ，Ｂ，Ｃ及びＤに示される如くに、形状を異ならせるものとして表示される。図１０のＡに示される図形１２は、音声信号再生装置の電源部を成す電池の起電力が殆ど低下していない状態にあることをあらわし、図１０のＢに示される図形１２は、音声信号再生装置の電源部を成す電池の起電力が少々低下した状態にあることをあらわし、図１０のＣに示される図形１２は、音声信号再生装置の電源部を成す電池の起電力がかなり低下した状態にあることをあらわし、図１０のＤに示される図形１２は、音声信号再生装置の電源部を成す電池の起電力が著しく低下した状態にあること、即ち、当該電池を新たな電池と交換すべき時期が到来したことをあらわす。このような図形１２の如くの電池起電力状態をあらわす表示図形は、その目視を容易とすべく、比較的大なるものとされるのが通常である。
【特許文献１】特開平７−２７２１６４号公報
【特許文献２】特開平８−２８９３７４号公報
【発明の開示】
【発明が解決しようとする課題】
【００１１】
上述のように本体装置とそれとは別体とされた遠隔操作制御装置とを備えた電子機器が、その本体装置と遠隔操作制御装置との双方に夫々電池が装着され、その電池が各々の電源部を成すものとされる場合には、本体装置の電源部を成す電池の起電力状態と遠隔操作制御装置の電源部を成す電池の起電力状態とのいずれをも、使用者が、例えば、視覚的に容易に確認できるようにされることが望まれる。
【００１２】
それゆえ、例えば、電子機器遠隔操作制御装置が、それが付設された電子機器本体装置の電源部を成す電池の起電力状態を表示する、図９に示される表示部１１のような表示部が設けられたものとされるとき、その表示部を、電子機器本体装置の電源部を成す電池の起電力状態の表示のみならず、電子機器遠隔操作制御装置の電源部を成す電池の起電力状態をも表示するものとなし、その際、表示部に、その表示パネル上において、例えば、図１０に示される図形１２のような図形を、電子機器本体装置の電源部を成す電池用のものと電子機器遠隔操作制御装置の電源部を成す電池用のものとして、二つ表示させることが考えられる。斯かる場合には、電池起電力状態をあらわすべく表示される図形の各々が、その目視を容易とすべく、比較的大なるものとされるので、表示部の表示パネル上における電池起電力状態をあらわす二つの図形用の表示領域の拡大がまねかれることになる。
【００１３】
しかしながら、装着された電池が電源部を成すものとされる電子機器遠隔操作制御装置は、通常、小型化が図られたものとされるので、表示部の表示パネルも比較的小規模なもので余裕度が小なるものとされる。そのため、表示部の表示パネル上における電池起電力状態をあらわす二つの図形用の表示領域が拡大されると、その影響を受けて、表示部の表示パネル上における他の表示のための表示領域の不足がきたされることになるという問題が生じる。
【００１４】
このような問題は、電子機器遠隔操作制御装置が付設される電子機器本体装置に、電子機器本体装置の電源部を成す電池の起電力状態と電子機器遠隔操作制御装置の電源部を成す電池の起電力状態との両方を表示する表示部が設けられるときにも、上述と同様に生じることとなる。
【００１５】
斯かる点に鑑み、本願の特許請求の範囲に記載された発明は、電子機器本体装置とそれとは別体のものとして備えられる電子機器遠隔操作制御装置との夫々が、各々に装着された電池が電源部を構成するものとされるもとで、電子機器本体装置もしくは電子機器遠隔操作制御装置に設けられた表示部に、電子機器本体装置の電源部を成す電池の起電力状態と電子機器遠隔操作制御装置の電源部を成す電池の起電力状態との両方の表示を、そのための表示部における表示領域の拡大をまねくことなく、行わせることが可能とされた電池起電力状態表示装置を提供する。
【課題を解決するための手段】
【００１６】
本願の特許請求の範囲における請求項１から請求項９までのいずれかに記載された発明に係る電池起電力状態表示装置は、電子機器本体装置の電源部を成す電池の起電力を検出する第１の電池起電力検出手段と、第１の電池起電力検出手段により検出された電池起電力に応じた第１の電池起電力表示用信号を形成する第１の電池起電力表示用信号形成手段と、電子機器本体装置とは別体に備えられた電子機器遠隔操作制御装置の電源部を成す電池の起電力を検出する第２の電池起電力検出手段と、第２の電池起電力検出手段により検出された電池起電力に応じた第２の電池起電力表示用信号を形成する第２の電池起電力表示用信号形成手段と、少なくとも電子機器本体装置及び電子機器遠隔操作制御装置のうちの一方に設けられた表示部と、第１及び第２の電池起電力表示用信号を選択的に表示部に供給し、表示部における特定の表示領域に、第１の電池起電力表示用信号に基づく電池起電力状態表示と第２の電池起電力表示用信号に基づく電池起電力状態表示とを選択的に行わせる表示制御手段と、を備えて構成される。
【００１７】
特に、本願の特許請求の範囲における請求項３に記載された発明に係る電池起電力状態表示装置は、表示部における特定の表示領域が、第１の電池起電力表示用信号に基づく電池起電力状態表示であることをあらわす第１の識別表示と、第２の電池起電力表示用信号に基づく電池起電力状態表示であることをあらわす第２の識別表示とを行うものとされる。
【発明の効果】
【００１８】
本願の特許請求の範囲における請求項１から請求項９までのいずれかに記載された発明に係る電池起電力状態表示装置によれば、電子機器本体装置及びそれとは別体とされた遠隔操作制御装置のいずれかに設けられた表示部が、表示制御手段により動作制御されるもとで、第１の電池起電力表示用信号に基づく電池起電力状態表示、即ち、電子機器本体装置の電源部を成す電池の起電力状態をあらわす表示と、第２の電池起電力表示用信号に基づく電池起電力状態表示、即ち、遠隔操作制御装置の電源部を成す電池の起電力状態をあらわす表示とを、例えば、夫々を識別できることになる識別表示を伴ったものとして、選択的に、例えば、各々について所定の時間づつ交互に行うものとされる。それにより、表示部に、電子機器本体装置の電源部を成す電池の起電力状態と電子機器遠隔操作制御装置の電源部を成す電池の起電力状態との両方の表示を、そのための表示部における表示領域の拡大をまねくことなく、行わせることができることになる。
【発明を実施するための最良の形態】
【００１９】
本願の特許請求の範囲における請求項１から請求項９までのいずれかに記載された発明を実施するための最良の形態は、以下に述べられる実施例をもって説明される。
【実施例】
【００２０】
図１は、本願の特許請求の範囲における請求項１から請求項９までのいずれかに記載された発明に係る電池起電力状態表示装置の一例が適用された、電子機器本体装置及びそれとは別体に備えられた電子機器遠隔操作制御装置を示す。
【００２１】
図１に示される電子機器本体装置は、例えば、複数の操作釦を含んで構成される操作部２１及び表示部２４が配置された匣体２２を有し、その匣体２２内に記録媒体、例えば、ＭＤ（ミニ・ディスク）が装着され、その装着されたＭＤに記録された音楽等の情報を再生する携帯型のＭＤプレーヤ２３とされている。また、ＭＤプレーヤ２３には、それとは別体とされた電子機器遠隔操作制御装置である遠隔操作制御装置２５が備えられており、遠隔操作制御装置２５は、例えば、複数の操作釦を含んで構成される操作部２６が配置された匣体２７を有している。そして、このような遠隔操作制御装置２５には、例えば、液晶表示パネルを有した表示部２８が設けられるとともに、左イヤーレシーバー２９及び右イヤーレシーバー３０を備えて構成されるイヤーレシーバー部３１が、リード線３２を介して接続される。遠隔操作制御装置２５に設けられた表示部２８は、例えば、ＭＤプレーヤ２３における各種動作状態等をカラー表示するものとされる。
【００２２】
さらに、ＭＤプレーヤ２３には、送受信アンテナを内蔵した信号送受信部３５が匣体２２から外部に突出するものとして設けられており、また、遠隔操作制御装置２５の匣体２７内には、送受信アンテナを有した信号送受信部６０（図４）が配されている。そして、ＭＤプレーヤ２３に設けられた信号送受信部３５と遠隔操作制御装置２５の匣体２７内に配された信号送受信部６０との間で、相互無線通信が行われる。
【００２３】
図２は、ＭＤプレーヤ２３の具体構成例を示す。そして、図２に示されるＭＤプレーヤ２３の具体構成例においては、記録媒体とされるＭＤ３６を回転駆動するディスク駆動部３７が設けられている。また、ディスク駆動部３７により駆動されるＭＤ３６から音声記録信号を読み取る記録信号読取ヘッド部３８が設けられており、記録信号読取ヘッド部３８は、ヘッド制御・駆動部３９によって、その動作制御が行われるとともに、ディスク駆動部３７により駆動されるＭＤ３６に対する位置を変化させるべく駆動される。
【００２４】
これらディスク駆動部３７及びヘッド制御・駆動部３９に関連して、システム制御部４０が設けられている。システム制御部４０は、例えば、マイクロコンピュータが用いられて構成される動作制御部４１から供給される制御信号郡ＣＤＤに応じて、ディスク制御信号ＤＤ及びヘッド制御信号ＤＨを、夫々、ディスク駆動部３７及びヘッド制御・駆動部３９に供給し、ディスク駆動部３７の動作をディスク制御信号ＤＤによって制御するとともに、記録信号読取ヘッド部３８の動作及び位置を、ヘッド制御・駆動部３９を通じて、ヘッド制御信号ＤＨによって制御する。
【００２５】
記録信号読取ヘッド部３８によって、ディスク駆動部３７により駆動されるＭＤ３６から読み取られた音声記録信号ＳＳは、音声信号再生処理部４２に供給される。音声信号再生処理部４２は、動作制御部４１から供給される制御信号ＣＡに応じて動作し、記録信号読取ヘッド部３８からの音声記録信号ＳＳに種々の処理を施して、例えば、ステレオ音声信号を形成する左音声信号ＳＡＬ及び右音声信号ＳＡＲを、ＭＤ３６から読み取られた音声記録信号ＳＳに基づく音声信号として再生する。そして、音声信号再生処理部４２から得られる左音声信号ＳＡＬ及び右音声信号ＳＡＲが、音声信号出力端子４３及び４４に夫々導出されるとともに、信号送受信部３５に供給される。
【００２６】
動作制御部４１には、それに接続された操作部２１からのその操作に応じた動作指令信号ＳＯが供給される。動作制御部４１は、制御信号郡ＣＤＤ及び制御信号ＣＡの夫々を、操作部２１からの動作指令信号ＳＯに応じて形成して、制御信号郡ＣＤＤをシステム制御部４０に供給するとともに制御信号ＣＡを音声信号再生処理部４２に供給する。それにより、ディスク駆動部３７，記録信号読取ヘッド部３８及び音声信号再生処理部４２は、ＭＤプレーヤ２３における操作部２１の操作に応じた動作状態あるいは非動作状態をとる。また、動作制御部４１には、ＭＤプレーヤ２３に装着された電池によって構成され、ＭＤプレーヤ２３の各部に動作電力を供給する電池電源部４６から、それを成す電池の端子間電圧ＶＢが供給される。
【００２７】
動作制御部４１は、例えば、図３に示されるように、電池起電力検出手段４７と電池起電力表示用信号形成手段４８とを、他の種々の手段に加えて内蔵している。そして、動作制御部４１にあっては、電池起電力検出手段４７が、電池電源部４６から供給される電池の端子間電圧ＶＢに基づいて、電池電源部４６を成す電池の起電力（電池起電力）を検出し、また、電池起電力表示用信号形成手段４８が、電池起電力検出手段４７により検出された電池起電力に応じた電池起電力表示用信号ＳＢＴをディジタルデータの形をもって形成して、そのディジタルデータを成す電池起電力表示用信号ＳＢＴが動作制御部４１から送出されるようになす。動作制御部４１から送出される電池起電力表示用信号ＳＢＴは、ＭＤプレーヤ２３における電池電源部４６の電池起電力状態をあらわす信号として信号送受信部３５に供給される。
【００２８】
さらに、動作制御部４１は、ＭＤプレーヤ２３の匣体２２の外部に臨むものとされた表示部２４に、表示用信号ＳＤＰを供給し、表示部４７において必要な各種の表示が行われるようにする。
【００２９】
信号送受信部３５においては、音声信号再生処理部４２からの左音声信号ＳＡＬ及び右音声信号ＳＡＲが、アナログ／ディジタル（Ａ／Ｄ）変換部５０に供給される。Ａ／Ｄ変換部５０は、左音声信号ＳＡＬ及び右音声信号ＳＡＲにＡ／Ｄ変換処理を施して、左ディジタル音声データＤＡＬ及び右ディジタル音声データＤＡＲを形成し、それらを符号化部５１に供給する。符号化部５１は、左ディジタル音声データＤＡＬ及び右ディジタル音声データＤＡＲに基づく符号化された音声データＤＡＸを得て、それを多重処理部５２に供給する。
【００３０】
また、動作制御部４１からのディジタルデータを成す電池起電力表示用信号ＳＢＴが、信号送受信部３５における符号化部５３に供給される。符号化部５３は、ディジタルデータを成す電池起電力表示用信号ＳＢＴに基づく符号化された表示用データＤＣＢを得て、それを多重処理部５２に供給する。
【００３１】
多重処理部５２においては、符号化部５１からの符号化された音声データＤＡＸと符号化部５３からの符号化された表示用データＤＣＢとが、例えば、時分割多重されて合成データＤＴＸが形成され、その合成データＤＴＸが変調部５４に供給される。変調部５４においては、例えば、合成データＤＴＸに基づく所定の搬送周波数を有したディジタル位相変調信号ＳＸＭが得られ、それが送信部５５に供給される。送信部５５においては、ディジタル位相変調信号ＳＸＭについての周波数変換及びその他の処理が行われて、送信データ信号ＳＤＴが形成され、それが送受分波器５６に供給される。そして、送受分波器５６に供給された送信データ信号ＳＤＴが、送受信アンテナ５７を通じて無線送信される。このようにして無線送信された送信データ信号ＳＤＴは、遠隔操作制御装置２５における信号送受信部６０によって受信される。
【００３２】
図４は、遠隔操作制御装置２５の具体構成例を示す。そして、図４に示される遠隔操作制御装置２５の具体構成例にあっては、ＭＤプレーヤ２３における信号送受信部３５から送出された送信データ信号ＳＤＴが、信号送受信部６０において、送受信アンテナ６１を通じて無線受信され、受信データ信号として、送受分波器６２を通じて受信部６３に供給される。
【００３３】
受信部６３においては、受信データ信号（送信データ信号ＳＤＴ）についての周波数変換及びその他の処理が行われて、ディジタル位相変調信号ＳＸＭが形成され、それが復調部６４に供給される。復調部６４においては、ディジタル位相変調信号ＳＸＭに対しての復調処理が行われ、復調部６４から、ディジタル位相変調信号ＳＸＭに基づく合成データＤＴＸが得られて、それが分離処理部６５に供給される。分離処理部６５においては、復調部６４からの合成データＤＴＸに基づき、音声データＤＡＸと表示用データＤＣＢとが得られ、音声データＤＡＸが復号化部６６に供給されるとともに、表示用データＤＣＢが復号化部６７に供給される。
【００３４】
復号化部６６においては、音声データＤＡＸについての復号化処理が行われて、音声データＤＡＸに基づく左ディジタル音声データＤＡＬ及び右ディジタル音声データＤＡＲが得られ、それらがディジタル／アナログ（Ｄ／Ａ）変換部６８に供給される。Ｄ／Ａ変換部６８においては、左ディジタル音声データＤＡＬ及び右ディジタル音声データＤＡＲの夫々にＤ／Ａ変換処理が施されて、左ディジタル音声データＤＡＬに基づく左音声信号ＳＡＬ、及び、右ディジタル音声データＤＡＲに基づく右音声信号ＳＡＲが得られる。このようにして得られる左音声信号ＳＡＬ及び右音声信号ＳＡＲは、信号送受信部６０から送出されて、音声信号制御部６９に供給される。
【００３５】
また、図４に示される遠隔操作制御装置２５の具体構成例には、例えば、マイクロコンピュータが用いられて構成される動作制御部７０が備えられている。この動作制御部７０には、それに接続された操作部２６からのその操作に応じた動作指令信号ＰＯが供給される。動作制御部７０は、制御信号ＣＡＣ及びＣＣの夫々を、操作部２６からの動作指令信号ＰＯに応じて形成して、制御信号ＣＡＣを音声信号制御部６９に供給するとともに制御信号ＣＣを信号送受信部６０に供給する。
【００３６】
音声信号制御部６９は、信号送受信部６０からの左音声信号ＳＡＬ及び右音声信号ＳＡＲに、動作制御部７０からの制御信号ＣＡＣに応じた制御を施し、制御された左音声信号ＳＡＬを、遠隔操作制御装置２５に接続されたイヤーレシーバー部３１の左イヤーレシーバー２９に、また、制御された右音声信号ＳＡＲを、遠隔操作制御装置２５に接続されたイヤーレシーバー部３１の右イヤーレシーバー３０に、夫々供給する。それにより、左イヤーレシーバー２９から左音声信号ＳＡＬに基づく再生音声が得られるとともに、右イヤーレシーバー３０から右音声信号ＳＡＲに基づく再生音声が得られる。
【００３７】
一方、分離処理部６５からの表示用データＤＣＢが供給される復号化部６７にあっては、表示用データＤＣＢについての復号化処理が行われて、表示用データＤＣＢに基づく電池起電力表示用信号ＳＢＴが得られる。このようにして得られるく電池起電力表示用信号ＳＢＴは、ＭＤプレーヤ２３における電池電源部４６の電池起電力状態をあらわすディジタルデータであり、信号送受信部６０から送出されて、動作制御部７０に供給される。
【００３８】
また、動作制御部７０には、遠隔操作制御装置２５に装着された電池によって構成され、遠隔操作制御装置２５の各部に動作電力を供給する電池電源部７１から、それを成す電池の端子間電圧ＶＢＲが供給される。
【００３９】
動作制御部７０は、例えば、図５に示されるように、電池起電力検出手段７２と電池起電力表示用信号形成手段７３と表示制御手段７４とを、他の種々の手段に加えて内蔵している。そして、動作制御部７０にあっては、電池起電力検出手段７２が、電池電源部７１から供給される電池の端子間電圧ＶＢＲに基づいて、電池電源部７１を成す電池の起電力（電池起電力）を検出し、また、電池起電力表示用信号形成手段７３が、電池起電力検出手段７２により検出された電池起電力に応じた電池起電力表示用信号ＳＢＲをディジタルデータの形をもって形成して、そのディジタルデータを成す電池起電力表示用信号ＳＢＲを、遠隔操作制御装置２５における電池電源部７１の電池起電力状態をあらわす信号として表示制御手段７４に供給する。
【００４０】
この動作制御部７０における表示制御手段７４には、信号送受信部６０からの、ＭＤプレーヤ２３における電池電源部４６の電池起電力状態をあらわすディジタルデータである電池起電力表示用信号ＳＢＴも供給される。そして、表示制御手段７４は、例えば、操作部２６から動作制御部７０に供給される動作指令信号ＰＯに応じて、ＭＤプレーヤ２３における電池電源部４６の電池起電力状態をあらわすディジタルデータである電池起電力表示用信号ＳＢＴと遠隔操作制御装置２５における電池電源部７１の電池起電力状態をあらわすディジタルデータである電池起電力表示用信号ＳＢＲとについての選択を行い、選択された電池起電力表示用信号ＳＢＴもしくは電池起電力表示用信号ＳＢＲを、電池状態表示用信号ＳＤＸとして、表示部２８に供給する。
【００４１】
それにより、表示部２８にあっては、それが有する液晶表示パネルにおける特定の表示領域において、電池状態表示用信号ＳＤＸに応じた表示、即ち、表示制御手段７４により選択された電池起電力表示用信号ＳＢＴに基づく、ＭＤプレーヤ２３における電池電源部４６の電池起電力状態をあらわす表示、即ち、ＭＤプレーヤ２３における電池電源部４６についての電池起電力状態表示、もしくは、表示制御手段７４により選択された電池起電力表示用信号ＳＢＲに基づく、遠隔操作制御装置２５における電池電源部７１の電池起電力状態をあらわす表示、即ち、遠隔操作制御装置２５における電池電源部７１についての電池起電力状態表示を行う。
【００４２】
動作制御部７０は、表示部２８に、電池起電力状態表示以外の各種の表示を行わせるための表示用信号ＳＤＤも送出して、それを表示部２８に供給する。それにより、表示部２８にあっては、それが有する液晶表示パネルにおける上述の特定の表示領域以外の領域において、表示用信号ＳＤＤに応じた各種の表示を行う。
【００４３】
表示部２８が有する液晶表示パネルは、例えば、図６において表示パネル８０として示されるものとされる。表示パネル８０は、図６に示されるような各種の表示を行うものとされるもとで、それにおける特定の領域において、電池起電力状態をあらわす表示図形８１とそれに付随する“Ｒ”及び“Ｍ”とされる識別文字８２とを表示することができるものとされる。表示図形８１は、前述の図１０に示される図形１２と同様のものであって、図１０に示される図形１２の場合と同様の表示態様をもって表示される。また、“Ｒ”及び“Ｍ”とされる識別文字８２は、“Ｒ”及び“Ｍ”のうちの一方のみが選択されて表示される。
【００４４】
斯かるもとで、表示パネル８０は、動作制御部７０からの電池状態表示用信号ＳＤＸが、電池起電力表示用信号ＳＢＴに基づくものであるとき、図７に示されるように、ＭＤプレーヤ２３における電池電源部４６についての電池起電力状態表示を表示図形８１をもって行い、それとともに、“Ｒ”及び“Ｍ”とされる識別文字８２のうちの“Ｍ”を表示する。斯かる際に表示される“Ｍ”は、そのときの表示図形８１による電池起電力状態表示が、ＭＤプレーヤ２３における電池電源部４６についての電池起電力状態表示であることをあらわす識別表示となる。また、表示パネル８０は、動作制御部７０からの電池状態表示用信号ＳＤＸが、電池起電力表示用信号ＳＢＲに基づくものであるとき、図８に示されるように、遠隔操作制御装置２５における電池電源部７１についての電池起電力状態表示を表示図形８１をもって行い、それとともに、“Ｒ”及び“Ｍ”とされる識別文字８２のうちの“Ｒ”を表示する。斯かる際に表示される“Ｒ”は、そのときの表示図形８１による電池起電力状態表示が、遠隔操作制御装置２５における電池電源部７１についての電池起電力状態表示であることをあらわす識別表示となる。
【００４５】
その結果、表示パネル８０においては、ＭＤプレーヤ２３における電池電源部４６についての電池起電力状態表示と遠隔操作制御装置２５における電池電源部７１についての電池起電力状態表示とのいずれもが、共通の表示図形８１をもって選択的に行われ、その際、共通の表示図形８１による電池起電力状態表示が、ＭＤプレーヤ２３における電池電源部４６についての電池起電力状態表示、及び、遠隔操作制御装置２５における電池電源部７１についての電池起電力状態表示のうちのいずれであるかが、表示図形８１に伴って選択的に表示される“Ｒ”及び“Ｍ”とされる識別文字８２のうちの一方によって識別されることになる。従って、表示パネル８０において、ＭＤプレーヤ２３における電池電源部４６についての電池起電力状態表示と遠隔操作制御装置２５における電池電源部７１についての電池起電力状態表示との両方が、そのための表示パネル８０における表示領域の拡大がまねかれることなく、行われることになる。
【００４６】
遠隔操作制御装置２５の動作制御部７０における表示制御手段７４は、例えば、操作部２６から動作制御部７０に供給される動作指令信号ＰＯに応じて、電池起電力表示用信号ＳＢＴと電池起電力表示用信号ＳＢＲとについての選択を行い、選択された電池起電力表示用信号ＳＢＴもしくは電池起電力表示用信号ＳＢＲを、電池状態表示用信号ＳＤＸとして、表示部２８に供給するにあたり、電池起電力表示用信号ＳＢＴと電池起電力表示用信号ＳＢＲとについての選択態様を選定することにより、表示パネル８０の特定の表示領域に行わせる、ＭＤプレーヤ２３における電池電源部４６についての電池起電力状態表示と遠隔操作制御装置２５における電池電源部７１についての電池起電力状態表示とについての選択態様を選定する。このようにして、動作制御部７０における表示制御手段７４により選定される、表示パネル８０の特定の表示領域によるＭＤプレーヤ２３における電池電源部４６についての電池起電力状態表示と遠隔操作制御装置２５における電池電源部７１についての電池起電力状態表示とについての選択態様は、例えば、以下のようなものとされる。
【００４７】
（１）表示パネル８０の特定の表示領域に、表示図形８１と識別文字８２とをもっての、ＭＤプレーヤ２３における電池電源部４６についての電池起電力状態表示と遠隔操作制御装置２５における電池電源部７１についての電池起電力状態表示とを、各々について所定の時間づつ交互に行わせる。（２）表示パネル８０の特定の表示領域に、表示図形８１と識別文字８２とをもっての、ＭＤプレーヤ２３における電池電源部４６についての電池起電力状態表示と遠隔操作制御装置２５における電池電源部７１についての電池起電力状態表示とを、各々について所定の時間づつ交互に行わせるにあたり、ＭＤプレーヤ２３における電池電源部４６についての電池起電力状態表示についての所定の時間と、遠隔操作制御装置２５における電池電源部７１についての電池起電力状態表示についての所定の時間とを、互いに異ならせる。（３）表示パネル８０の特定の表示領域に、表示図形８１と識別文字８２とをもっての、ＭＤプレーヤ２３における電池電源部４６についての電池起電力状態表示と遠隔操作制御装置２５における電池電源部７１についての電池起電力状態表示とを、各々について所定の時間づつ交互に行わせるもとで、ＭＤプレーヤ２３における電池電源部４６についての電池起電力状態表示についての所定の時間と、遠隔操作制御装置２５における電池電源部７１についての電池起電力状態表示についての所定の時間とを、互いに異ならせるにあたり、ＭＤプレーヤ２３における電池電源部４６の電池起電力が、遠隔操作制御装置２５における電池電源部７１の電池起電力より小であるとき、ＭＤプレーヤ２３における電池電源部４６についての電池起電力状態表示についての所定の時間を遠隔操作制御装置２５における電池電源部７１についての電池起電力状態表示についての所定の時間より長くし、遠隔操作制御装置２５における電池電源部７１の電池起電力が、ＭＤプレーヤ２３における電池電源部４６の電池起電力より小であるとき、遠隔操作制御装置２５における電池電源部７１についての電池起電力状態表示についての所定の時間をＭＤプレーヤ２３における電池電源部４６についての電池起電力状態表示についての所定の時間より長くする。（４）表示パネル８０の特定の表示領域に、表示図形８１と識別文字８２とをもっての、ＭＤプレーヤ２３における電池電源部４６についての電池起電力状態表示と遠隔操作制御装置２５における電池電源部７１についての電池起電力状態表示とを、それらのうちの一方を他方に対して優先させて行わせる。（５）表示パネル８０の特定の表示領域が、表示図形８１と識別文字８２を用いて、ＭＤプレーヤ２３における電池電源部４６についての電池起電力状態表示と遠隔操作制御装置２５における電池電源部７１についての電池起電力状態表示とを、互いに異なる色光をもって選択的に行うようにする。
【００４８】
このような、表示パネル８０の特定の表示領域によるＭＤプレーヤ２３における電池電源部４６についての電池起電力状態表示と遠隔操作制御装置２５における電池電源部７１についての電池起電力状態表示とについての選択態様の選定が行われることにより、ＭＤプレーヤ２３における電池電源部４６及び遠隔操作制御装置２５における電池電源部７１の夫々についての電池起電力状態表示が、例えば、電池電源部４６もしくは電池電源部７１についての電池交換時期を的確に把握できるようにするという観点から、より効果的に行われることになる。
【００４９】
遠隔操作制御装置２５の動作制御部７０から信号送受信部６０へと送出される制御信号ＣＣは、信号送受信部６０において符号化部８５に供給される。符号化部８５は、制御信号ＣＣに基づく符号化された制御用データＤＣＬを得て、それを分離処理部６５に供給する。
【００５０】
分離処理部６５においては、符号化部８５からの符号化された制御用データＤＣＬを、そのまま通過させて変調部８６に供給する。変調部８６においては、例えば、符号化された制御用データＤＣＬに基づく所定の搬送周波数を有したディジタル位相変調信号ＳＸＣが得られ、それが送信部８７に供給される。送信部８７においては、ディジタル位相変調信号ＳＸＣについての周波数変換及びその他の処理が行われて、送信データ信号ＳＣＴが形成され、それが送受分波器６２に供給される。そして、送受分波器６２に供給された送信データ信号ＳＣＴが、送受信アンテナ６１を通じて無線送信される。このようにして無線送信された送信データ信号ＳＣＴは、ＭＤプレーヤ２３における信号送受信部３５によって受信される。
【００５１】
ＭＤプレーヤ２３における信号送受信部３５にあっては、遠隔操作制御装置２５における信号送受信部６０から送出された送信データ信号ＳＣＴが、送受信アンテナ５７を通じて無線受信され、受信データ信号として、送受分波器５６を通じて受信部９１に供給される。
【００５２】
受信部９１においては、受信データ信号（送信データ信号ＳＣＴ）についての周波数変換及びその他の処理が行われて、ディジタル位相変調信号ＳＸＣが形成され、それが復調部９２に供給される。復調部９２においては、ディジタル位相変調信号ＳＸＣに対しての復調処理が行われ、復調部９２から、ディジタル位相変調信号ＳＸＣに基づく符号化された制御用データＤＣＬが得られて、それが多重処理部５２に供給される。多重処理部５２にあっては、復調部９２からの符号化された制御用データＤＣＬを、そのまま通過させ、復号化部９３に供給する。
【００５３】
復号化部９３においては、符号化された制御用データＤＣＬについての復号化処理が行われて、符号化された制御用データＤＣＬに基づく制御信号ＣＣが得られ、それが動作制御部４１に供給される。それにより、動作制御部４１よる、ＭＤプレーヤ２３におけるシステム制御部４０，音声信号再生処理部４２，表示部２４等を含む各部に対しての、制御信号ＣＣに応じた動作制御が行われる。
【００５４】
以上のような構成及び動作を伴う、ＭＤプレーヤ２３及び遠隔操作制御装置２５を備えた例において、ＭＤプレーヤ２３の動作制御部４１における電池起電力検出手段４７及び電池起電力表示用信号形成手段４８，ＭＤプレーヤ２３における信号送受信部３５，遠隔操作制御装置２５における信号送受信部６０，遠隔操作制御装置２５の動作制御部７０における電池起電力検出手段７２，電池起電力表示用信号形成手段７３及び表示制御手段７４、及び、遠隔操作制御装置２５における表示部２８を含む部分により、本願の特許請求の範囲における請求項１から請求項９までのいずれかに記載された発明に係る電池起電力状態表示装置の一例が構成されている。そして、前述の表示パネル８０において、ＭＤプレーヤ２３における電池電源部４６についての電池起電力状態表示と遠隔操作制御装置２５における電池電源部７１についての電池起電力状態表示との両方が、そのための表示パネル８０における表示領域の拡大がまねかれることなく、行われることになる利点、さらには、ＭＤプレーヤ２３における電池電源部４６及び遠隔操作制御装置２５における電池電源部７１の夫々についての電池起電力状態表示が、例えば、電池電源部４６もしくは電池電源部７１についての電池交換時期を的確に把握できるようにするという観点から、より効果的に行われることになる利点等は、上述の本願の特許請求の範囲における請求項１から請求項９までのいずれかに記載された発明に係る電池起電力状態表示装置の一例によって得られるものである。
【００５５】
上述の例においては、ＭＤプレーヤ２３における電池電源部４６についての電池起電力状態表示と遠隔操作制御装置２５における電池電源部７１についての電池起電力状態表示とが、遠隔操作制御装置２５における表示部２８において、選択的に行われるものとされているが、本願の特許請求の範囲における請求項１から請求項９までのいずれかに記載された発明に係る電池起電力状態表示装置は、斯かる例に限られるものではない。例えば、他の例として、図１，図２及び図４に示されるＭＤプレーヤ２３における電池電源部４６についての電池起電力状態表示と遠隔操作制御装置２５における電池電源部７１についての電池起電力状態表示とが、ＭＤプレーヤ２３における表示部２４において、選択的に行われるようにされるものを挙げることができる。斯かる例の場合、ＭＤプレーヤ２３の動作制御部４１が、図５に示される表示制御手段７４に相当する表示制御手段を備えることになる。
【００５６】
また、上述の電子機器本体装置及び電子機器遠隔操作制御装置を夫々成すＭＤプレーヤ２３及び遠隔操作制御装置２５は、相互間において無線通信によって信号送受信を行うものとされているが、本願の特許請求の範囲における請求項１から請求項９までのいずれかに記載された発明に係る電池起電力状態表示装置にあっては、電子機器本体装置と電子機器遠隔操作制御装置とが、相互間における信号送受信を、無線通信によるのではなく、信号導線を通じての有線通信によって行うものについて適用されるものとされてもよい。
【００５７】
さらに、上述の例においては、電子機器本体装置及び電子機器遠隔操作制御装置が夫々ＭＤプレーヤ２３及び遠隔操作制御装置２５とされているが、本願の特許請求の範囲における請求項１から請求項９までのいずれかに記載された発明に係る電池起電力状態表示装置は、ＭＤプレーヤ及び遠隔操作制御装置以外の電子機器本体装置及び電子機器遠隔操作制御装置にも、広く適用することができる。
【産業上の利用可能性】
【００５８】
上述のような本願の特許請求の範囲における請求項１から請求項９までのいずれかに記載された発明に係る電池起電力状態表示装置は、本体装置とそれとは別体のものとして備えられる遠隔操作制御装置とを備え、それらの夫々が、各々に装着された電池が電源部を構成するものとされる電子機器に、本体装置もしくは遠隔操作制御装置に設けられた表示部に、本体装置の電源部を成す電池の起電力状態と遠隔操作制御装置の電源部を成す電池の起電力状態との両方の表示を、そのための表示部における表示領域の拡大をまねくことなく、行わせることができるものとして、広く適用され得るものである。
【図面の簡単な説明】
【００５９】
【図１】本願の特許請求の範囲における請求項１から請求項９までのいずれかに記載された発明に係る電池起電力状態表示装置の一例が適用された、電子機器本体装置及びそれとは別体に備えられた電子機器遠隔操作制御装置の外観を示す斜視図っである。
【図２】図１に示される電子機器本体装置の具体構成例を示すブロック構成図である。
【図３】図２に示される動作制御部の説明に供されるブロック構成図である。
【図４】図１に示される電子機器遠隔操作制御装置の具体構成例を示すブロック構成図である。
【図５】図４に示される動作制御部の説明に供されるブロック構成図である。
【図６】本願の特許請求の範囲における請求項１から請求項９までのいずれかに記載された発明に係る電池起電力状態表示装置の一例の要部についての構成及び動作の説明に供される平面図である。
【図７】本願の特許請求の範囲における請求項１から請求項９までのいずれかに記載された発明に係る電池起電力状態表示装置の一例の要部についての構成及び動作の説明に供される平面図である。
【図８】本願の特許請求の範囲における請求項１から請求項９までのいずれかに記載された発明に係る電池起電力状態表示装置の一例の要部についての構成及び動作の説明に供される平面図である。
【図９】従来提案されている電池起電力状態表示に用いられる表示部の説明に供される平面図である。
【図１０】電池起電力状態の表示に用いられる図形の説明に供される概念図である。
【００６０】
２１，２６・・・操作部，  ２３・・・ＭＤプレーヤ，  ２４，２８・・・表示部，  ２５・・・遠隔操作制御装置，  ３１・・・イヤーレシーバー部，  ３５，６０・・・信号送受信部，  ３６・・・ＭＤ，  ３７・・・ディスク駆動部，  ３８・・・記録信号読取ヘッド部，  ３９・・・ヘッド制御・駆動部，  ４０・・・システム制御部，  ４１，７０・・・動作制御部，  ４２・・・音声信号再生処理部，  ４６，７１・・・電池電源部，  ４７，７２・・・電池起電力検出手段，  ４８，７３・・・電池起電力表示用信号形成手段，  ７４・・・表示制御手段，  ８０・・・表示パネル，  ８１・・・表示図形，  ８２・・・識別文字
【図１】
2006030045.tif 000003
【図２】
2006030045.tif 000004
【図３】
2006030045.tif 000005
【図４】
2006030045.tif 000006
【図５】
2006030045.tif 000007
【図６】
2006030045.tif 000008
【図７】
2006030045.tif 000009
【図８】
2006030045.tif 000010
【図９】
2006030045.tif 000011
【図１０】
2006030045.tif 000012